(57)【要約】【課題】光学位置合わせ検出装置及びその検出方法を提供する。【解決手段】  本発明の光学位置合わせ検出装置及びその検出方法は、検出ユニットの光源発射器を利用して光源を光束拡張器に投射し、光源を拡張した後、偏光調整ユニットおよび被検体に投射し、光源を偏光調整ユニットの第１光源偏光子、波長板を透過して回転する円偏光光を発生し、更に、順に被検体および第２光線偏光子を透過した後、検出ユニットの光検出器により受け取られ、光検出器により偏光調整ユニットおよび被検体を透過した光源を検出し、被検体および波長板が発生する円偏光光の回転方向が同一か相反か、円偏光光がオフセットされるか、オフセットされないかを識別し、光検出器が受け取った光源の強度が最小値又は最大値に近づき、被検体の偏光回転状態を算出し、光学式位置合わせの目的を達成できる。【選択図】図１
2019191234.tif 000002
【特許請求の範囲】
【請求項１】
検出ユニット、偏光調整ユニットおよび被検体を含み、
該検出ユニットは、光源を投射する光源発射器、光源を受け取った後に拡張を行う光束拡張器および光源を受け取って検出を行う光検出器を含み、
該偏光調整ユニットは、光束拡張器および光検出器の間に設置され、光束拡張器の一側に位置する第１光線偏光子と、光検出器の一側に位置する第２光線偏光子と、第１光線偏光子の一側に位置する波長板を含み、
該被検体は、検出ユニットの波長板と第２光線偏光子の間に設置され、検出ユニットの光源を透過して偏光調整ユニットを合わせて偏光調整を行い、被検体の偏光光源角度を補正する光学位置合わせ検出装置。
【請求項２】
前記検出ユニットの光源発射器は、波長が３５２ｎｍである緑光レーザ光源を発射させ、且つパワーが２０ｍｗである請求項１に記載の光学位置合わせ検出装置。
【請求項３】
前記検出ユニットの光源発射器の一側に外向きにレーザ光源を投射する光源投射孔を有し、光束拡張器の一側に光源投射孔に位置合わせする光源受け取り面を設け、他側にレーザ光源を外向きに偏光調整ユニットまで拡張し、被検体の検出面積を増加する光源拡張面を設け、且つ該光束拡張器は、可変光の光束拡張器であり、且つ受け取った光源を２倍〜８倍の倍率で拡大する請求項１に記載の光学位置合わせ検出装置。
【請求項４】
前記偏光調整ユニットの第１、第２光線偏光子（Light Polarized）は、それぞれナノオーダーのケイ酸ナトリウムを含むガラス片（Nanoparticles in Sodium-Silicate Glass）であり、波長板の材料は、結晶石英（Crystalline Quartz）であり、位相遅延波長を発生するか、その他の位相遅延波長板であり、且つ検出ユニット、偏光調整ユニットの検出を受ける被検体は、装着式眼鏡の光学レンズである請求項１に記載の光学位置合わせ検出装置。
【請求項５】
検出ユニット、偏光調整ユニットおよび被検体を含み、被検体に対して以下の検出のステップを行う光学位置合わせ検出方法。
（Ａ）検出ユニットの光源発射器が光源を光束拡張器に投射する；
（Ｂ）光束拡張器が受け取った光源を拡張した後、光源を偏光調整ユニットおよび被検体に投射する；
（Ｃ）光束拡張器が光源を投射し、偏光調整ユニットの第１光線偏光子、波長板を透過し、第１光線偏光子、波長板に回転する円偏光光を発生させる；
（Ｄ）光源が順に被検体および第２光線偏光子を透過した後、検出ユニットの光検出器により受け取らせる；
（Ｅ）光検出器は、偏光調整ユニットおよび被検体を透過した光源の検出を行い、被検体および波長板が発生する偏光光の回転方向が相反し、ステップ（Ｆ）を行い、被検体および波長板が発生する偏光光の回転方向が同じである場合、ステップ（Ｇ）を行う；
（Ｆ）円偏光光が被検体を透過した後、偏光光の回転方向が完全にオフセットされ、偏光方向を還元し、第１光線偏光子および第２光線偏光子の透過軸が直交を形成し、光源を被検体、第２光線偏光子に透過させる時、偏光光源は、オフセットされ、光検出器が受け取る光源の強度が最小値〔０〕に近づく； 
（Ｇ）被検体および波長板が発生する偏光光の回転方向が完全にオフセットされず、偏光光源が被検体および第２光線偏光子を透過した後、楕円偏光光を発生し、第２光線偏光子によって透過軸を制限し、透過軸方向の偏光を残し、光検出器が受け取る光源の強度は〔０〕にならず、光検出器に受け取る光源の強度の関係を利用して、被検体の偏光回転角度を計算させる。
【請求項６】
前記ステップ（Ａ）の検出ユニットは、光源発射器がレーザ光源発射器であり、波長が５３２ｎｍの緑光レーザ光源を発射し、且つパワーが２０ｍｗであり、且つ光源発射器の一側に外向きにレーザ光源を投射する光源投射孔を有し、光束拡張器の一側に光源投射孔に位置合わせされる光源受け取り面を設け、他側にレーザ光源を外向きに偏光調整ユニットまで拡張し、被検体の検出面積を増加する光源拡張面を設ける請求項５に記載の光学位置合わせ検出方法。
【請求項７】
前記ステップ（Ｂ）の検出ユニットの光束拡張器は、可変光束拡張器であり、且つ受け取った光源を２倍〜８倍（２ｘ〜８ｘ）の倍率で拡大し、該光束拡張器は、が光源を受け取った後、偏光調整ユニットおよび被検体に投射し、偏光調整ユニットの第１光線偏光子、波長板、被検体、第２光線偏光子および光検出器の間に光源が透過する透過軸を形成する請求項５に記載の光学位置合わせ検出方法。
【請求項８】
前記ステップ（Ｃ）、（Ｄ）の偏光調整ユニットの第１、第２光線偏光子（Light Polarized）は、それぞれナノオーダーケイ酸ナトリウムを含むガラス片（Nanoparticles in Sodium-Silicate Glass）材質又は其他材質等であり、波長板の材料は、結晶石英（Crystalline Quartz）であり、位相遅延波長を発生するか、その他の位相遅延波長板であり、且つ検出ユニット、偏光調整ユニットの検出を受ける被検体は、装着式眼鏡の光学レンズである請求項５に記載の光学位置合わせ検出方法。
【請求項９】
前記検出ユニットの光検出器は、回路レイアウト、内蔵アプリケーションプログラムを予め設けたプロセッサまたはチップを含む請求項５に記載の光学位置合わせ検出方法。
【発明の詳細な説明】
【技術分野】
【０００１】
本発明は、光学位置合わせ検出装置及びその検出方法に関し、特に、光学レンズに対して偏光検出を行う装置及び方法に関し、検出ユニット及び偏光調整ユニットによって被検体に対して偏光検出を行い、被検体に対して光学位置合わせ検出の目的を達成する。
【背景技術】
【０００２】
科学技術時代の絶え間ない進歩およびイノベーションに伴い、多くの日常生活中の事物も科学技術の進歩に伴って顕著な変化を有し、例えば、人々の日常生活中に見られるテレビ又は映画等、表示スクリーンによって呈するイメージは、早期の二次元平面イメージ（２Ｄ平面イメージ、Two Dimension）から三次元立体イメージ（３Ｄ立体イメージ，Three Dimension）に変化し、人々がイメージを見る時の立体視覚イメージの異なる感受を満たし、更に三次元イメージ（３Ｄ立体イメージ）画面が呈する立体視覚効果によって、多くの業者は、３Ｄ立体イメージを利用し、各式異なるリアルな臨場感を演出し、その環境にいるようなイメージ領域、例えば、拡張現実感（Augmented Reality,AR）、複合現実感（Mixed Reality，MR）、または映画現実感（Cinematic Reality，CR）技術等のシミュレーションを体験させ、人々に３Ｄ立体イメージの視覚的知覚を提供している。
【０００３】
しかしながら、３Ｄ立体イメージの呈現は、人々の両眼の視差（Binocular Parallax）効果を利用して形成され、且つ両眼の視差は、両眼のある位置の違い、視角の違いにより、見られるイメージ内容もわずかに異なる効果になり、最後に、大脳が両眼で見られる異なるイメージを融合し、３Ｄ立体イメージを生成する。
立体イメージ呈現の技術は、大きく特殊設計の眼鏡をかけてみる眼鏡装着式（Stereoscopic）または眼鏡をかける必要がなく裸眼で見ることができる裸眼式（Auto Stereoscopic）に分けられる。そのうち、眼鏡装着式の３Ｄ立体イメージ表示技術については、色差式〔即ち、フィルタ眼鏡（Color Filter Glasses）〕、偏光式〔即ち、偏光眼鏡（Polarizing Glasses）〕およびアクティブシャッター式〔即ち、シャッター眼鏡（Shutter Glasses）〕等の各種タイプを含み、偏光式３Ｄ立体イメージ技術（Polarization 3D）は、偏振式３Ｄ立体イメージ技術とも称され、図５、図６、図７に示すように、適用される応用は、パッシブ偏光眼鏡であり、光線が有する〔振動方向〕（ａ）の原理を利用してオリジナル画像（ｂ）を分解し、先ず画像（ｂ）を垂直方向の偏光光（ｂ１）および水平方向の偏光光（ｂ２）の２組の画面に分け、それから、３Ｄ眼鏡（ｃ）の左右のレンズ（ｃ１、ｃ２）をそれぞれ異なる偏光方向の偏光レンズを採用し、使用者の左右の眼に左右のレンズ（ｃ１、ｃ２）によってそれぞれ２組の画面を受け取らせ、大脳で合成を行い、立体イメージ（ｄ）を形成する。
【０００４】
裸眼で見る立体イメージの呈現は、使用者が特殊設計の眼鏡をかける必要がなく、３Ｄ立体イメージを見ることができるが、裸眼式の立体表示技術、例えば、レンチキュラーレンタイプ（Lenticular len Type）立体イメージ表示技術は、レンズを利用して各表示情報の光線を屈折させてそれぞれ観覧者の左右の眼に向け、それが表示する立体イメージが位置及び角度等の制限を有し、従って、観覧者の観覧位置、角度も多くの制限を受け、特殊設計の眼鏡をかける眼鏡式３Ｄ立体イメージ表示技術の方が、眼鏡によって呈現する３Ｄ立体イメージ効果が比較的良好であり、観覧位置又は角度等の制限を受け難く、依然として多くの業者に応用されている。
しかしながら、偏光式眼鏡は、良好な３Ｄイメージ表示効果を達成するため、検出、位置合わせによって左右のレンズの適切な偏光角度、偏光方向等を調整する必要があり、そうでなければ、偏光式眼鏡の使用時、偏光式眼鏡の透過軸（直線偏光を透過する軸）により傾斜現象を発生し、クロストーク（Cross talk）を発生し、偏光式眼鏡の輝度に変化、暗転現象等の欠陥を発生させる。
【０００５】
従って、現在の偏光式眼鏡のレンズが適切な偏光角度、偏光方向を調整し難い問題おおよび困難、およびレンズが容易に透過軸の傾斜によりクロストーク現象等を発生する面倒および欠陥を如何に解決するは、当業界に従事する関連業者が研究改善を欲する方向となっている。
【先行技術文献】
【特許文献】
【０００６】
【特許文献１】特開２０１５−４１１０９号公報
【特許文献２】特開２０１４−７２７４８号公報
【発明の概要】
【発明が解決しようとする課題】
【０００７】
そこで、発明者は、上記の問題及び欠陥に鑑み、関連資料を収集し、多方面の評価および検討を行い、本業界に長年従事した経験により、絶えず試作及び修正を行い、ようやくこのような検出ユニット及び偏光調整ユニットを利用し、被検体に対して光学位置合わせ検出を行い、被検体に適合する偏光角度、偏光方向を取得させ、被検体の使用時に発生する透過軸の傾斜を低減し、クロストーク現象の発生を回避する光学位置合わせ検出装置及びその検出方法の発明を誕生させている。
【０００８】
本発明の目的は、該光学位置合わせ検出装置が検出方法を行い、検出ユニットの光源発射器を利用して光源を光束拡張器に投射し、光源を拡張した後に偏光調整ユニットおよび被検体に投射し、光源を偏光調整ユニットの第１光線偏光子、波長板に透過させて回転する円偏光光を発生し、順に被検体および第２光線偏光子に透過させた後、検出ユニットの光検出器に受けさせ、光検出器により偏光調整ユニット及び被検体を透過した光源を検出し、被検体と波長板が発生する円偏光光の回転方向（左回転または右回転）が相反であるか、同一であるか、円偏光光の回転方向がオフセットされるか、オフセットされてないかを識別し、光検出器が受け取った光源の強度が最小値〔０〕または最大値〔０ではない〕に近づき、被検体の偏光回転状態を算出でき、被検体に対して光学式位置合わせの目的を達成し、３Ｄイメージを観覧する時、透過軸の傾斜、クロストーク現象の発生を減少し、使用安定性の効果を向上することにある。
【０００９】
本発明のもう１つの目的は、該検出ユニットの光源発射器が、レーザ光の光源発射器またはその他のタイプにおける光源の光源発射器であり、波長が５３２ｎｍである緑光レーザ光源であり、且つパワーが２０ｍｗ等のタイプであるレーザ光源を発射し、光源発射器の一側に光源投射孔を有し、外へ向けてレーザ光源を投射し、光束拡張器一側に光源受け取り面を設け、光源投射孔に位置合わせし、他側に光源拡張面を設け、レーザ光源を外向きに偏光調整ユニットまで外向きに拡張し、被検体の検出面積を増加させ、該光束拡張器は、可変光の光束拡張器であり、且つ受け取った光源を２倍〜８倍（２ｘ〜８ｘ）の倍率で拡大する等の方式で、レーザ光源の光束拡張方式を行うことにある。
【００１０】
本発明のもう１つの目的は、該偏光調整ユニットの第１、第２光線偏光子（Light Polarized）が、それぞれナノオーダーケイ酸ナトリウムを含むガラス片（Nanoparticles in Sodium- Silicate Glass）等の材質であることができ、位相遅延１／４波長またはその他の位相遅延波長板等であることができ、且つ検出ユニット、偏光調整ユニットの検出を受ける被検体は、装着式眼鏡の光学レンズまたはその他の光学レンズ等であることができる。
【課題を解決するための手段】
【００１１】
本発明の光学位置合わせ検出装置は、検出ユニット、偏光調整ユニットおよび被検体を含み、該検出ユニットは、光源を投射する光源発射器、光源を受け取った後に拡張を行う光束拡張器および光源を受け取って検出を行う光検出器を含み、該偏光調整ユニットは、光束拡張器および光検出器の間に設置され、光束拡張器の一側に位置する第１光線偏光子と、光検出器の一側に位置する第２光線偏光子と、第１光線偏光子の一側に位置する波長板を含み、該被検体は、検出ユニットの波長板と第２光線偏光子の間に設置され、検出ユニットの光源を透過して偏光調整ユニットを合わせて偏光調整を行い、被検体の偏光光源角度を補正する。
【発明の効果】
【００１２】
本発明の光学位置合わせ検出装置が行う検出方法は、検出ユニットの光源発射器を利用して光源を光束拡張器に投射し、光源を拡張した後に偏光調整ユニットおよび被検体に投射し、光源を偏光調整ユニットの第１光線偏光子、波長板に透過させて回転する円偏光光を発生し、順に被検体および第２光線偏光子に透過させた後、検出ユニットの光検出器に受けさせ、光検出器により偏光調整ユニット及び被検体を透過した光源を検出し、被検体と波長板が発生する円偏光光の回転方向（左回転または右回転）が相反であるか、同一であるか、円偏光光の回転方向がオフセットされるか、オフセットされてないかを識別し、光検出器が受け取った光源の強度が最小値〔０〕または最大値〔０ではない〕に近づき、被検体の偏光回転状態を算出でき、被検体に対して光学式位置合わせの目的を達成し、３Ｄイメージを観覧する時、透過軸の傾斜、クロストーク現象の発生を減少し、使用安定性の効果を向上することにある。
【図面の簡単な説明】
【００１３】
【図１】本発明の立体分解図である。
【図２】本発明の好適実施例の立体分解図である。
【図３】本発明の検出方法のフロー図（一）である。
【図４】本発明の検出方法のフロー図（二）である。
【図５】従来技術の偏光式３Ｄ技術の光線振動方向分解説明図（一）である。
【図６】従来技術の偏光式３Ｄ技術の光線振動方向分解説明図（二）である。
【図７】従来技術における偏光式３Ｄ技術の光線振動方向の受け取り説明図である。
【発明を実施するための形態】
【００１４】
上記目的及び効果を達成するため、本発明が採用する技術手段及びその構造、実施の方法等を分かり易くするため、本発明の好適実施例を挙げその特徴及び機能を以下に詳細に説明する。
【００１５】
図１、図２を参照し、それは、本発明の立体分解図、好適実施例の立体分解図であり、図から明確に分かるように、本発明の光学位置合わせ検出装置は、検出ユニット１、偏光調整ユニット２および被検体３を含む。
【００１６】
該検出ユニット１は、光源発射器１１、光束拡張器１２および光検出器１３を含み、且つ該光源発射器１１の一側に光源投射孔１１０を設け、外向きにレーザ光を光束拡張器１２まで投射でき、光束拡張器１２の一側は、光源受け取り面１２１を設け、光源発射器１１が発射するレーザ光源を受け取らせ、且つ光束拡張器１２は、受け取ったレーザ光源を他側の光源拡張面１２２から外向きに拡張投射し、光源発射器１１、光束拡張器１２の他側に位置する光検出器１３に一側の受光面１３１によりレーザ光源を受け取らせる。
【００１７】
該偏光調整ユニット２は、２つの相対する第１光線偏光子２１、第２光線偏光子２２及び第１、第２光線偏光子２１、２２の相対内側に位置し、第１光線偏光子２１側辺に近接する波長板２３を含む。
【００１８】
該被検体３は、装着式眼鏡の光学レンズであることができる。
【００１９】
上記各部材は、実際の応用時、検出ユニット１の光束拡張器１２および光検出器１３の間に偏光調整ユニット２を設置し、第１光線偏光子２１、第２光線偏光子２２をそれぞれ光束拡張器１２、光検出器１３の相対する内側に位置させ、第１、第２光線偏光子２１、２２の間に波長板２３を設置し、波長板および第２光線偏光子２２の間に被検体３を設置し、検出ユニット１の光源発射器１１によって光源投射孔１１０によってレーザ光を光束拡張器１２に投射し、光束拡張器１２を利用してレーザ光源を拡張した後、偏光調整ユニット２、被検体３に投射し、レーザ光源を光検出器１３により受けさせ、被検体３に対して検出を行う目的を達成し、検出ユニット１、偏光調整ユニット２および被検体３を利用し、本発明の光学位置合わせ検出装置を構成する。
【００２０】
上記検出ユニット１の光源発射器１１は、レーザ光の光源発射器１１またはその他の光源タイプの光源発射器１１であることができ、光源発射器１１に波長が５３２ｎｍである緑光レーザ光源であり、且つパワーが２０ｍｗである等の各種タイプのレーザ光源又はその他のタイプの光源を発射させることができる。
【００２１】
且つ上記検出ユニット１の光束拡張器１２は、可変光の光束拡張器１２であることができ、且つ光源受け取り面１２１が光源発射器１１から受け取った光源を２倍〜８倍（２ｘ〜８ｘ）等の倍率で拡大でき、更に、光源拡張面１２２により拡大したレーザ光源を外向きに偏光調整ユニット２に拡張し、被検体３が受ける光源の検出面積を増加し、光検出器１３に投射し、光検出器１３に比較的大きな検出面積の光源を受けさせ、被検体３を透過する光源強度、円偏光光等の検出を更に精確に行わせる。
【００２２】
また、該検出ユニット１の光検出器１３は、回路レイアウト、内蔵アプリケーションプログラムを予め設けたプロセッサ又はチップ等を含み、偏光調整ユニット２、被検体３から受け取った光源の強度、円偏光光の回転方向を計算でき、被検体３に対して光学的位置合わせ検出を行う目的を達成し、被検体３に適切な偏光方向、角度等を獲得させ、実際の応用実施において、３Ｄイメージの観覧を行う時、透過軸の傾斜、クロストーク等の現象の発生を減少できる。
【００２３】
また、上記該偏光調整ユニット２の第１光線偏光子２１、第２光線偏光子２２（Light Polarized）は、それぞれナノオーダーケイ酸ナトリウムｗ含むガラス片（Nanoparticles in Sodium-Silicate Glass）であることができ、波長板２３の材料は、結晶石英（Crystalline Quartz）であり、位相遅延１／４波長またはその他の位相遅延波長板２３等を発生することができる。
【００２４】
上記該検出ユニット１、偏光調整ユニット２が検出した被検体４は、装着式眼鏡の光学レンズまたはその他の光学レンズ等であることができる。
【００２５】
図１、図２、図３、図４を参照し、それは、本発明の立体分解図、好適実施例の立体分解図、検出方法のフロー図（一）、検出方法のフロー図（二）、図から明確に分かるように、本発明の光学位置合わせ検出装置は、実際の応答実施時、検出ユニット１、偏光調整ユニット２を利用して被検体４に対して光学検出を行うことができ、その検出のステップは、以下である。
【００２６】
（Ａ）検出ユニット１の光源発射器１１を利用し、光源投射孔１１０からレーザ光源を光束拡張器１２に投射する。
（Ｂ）光束拡張器１２の一側の光源受け取り面１２１により光源発射器１１の光源を受け取り、受け取った光源を拡張した後、他側の光源拡張面１２２により光源を拡張し、偏光調整ユニット２及び被検体３に投射する。
（Ｃ）且つ光束拡張器１２が光源を投射し、偏光調整ユニット２の第１光線偏光子２１、波長板２３を透過させ、第１光線偏光子２１、波長板２３に左回転又は右回転方式で回転する円偏光光を発生させる。
（Ｄ）光源に順に被検体３および第２光線偏光子２２を透過させた後、検出ユニット１の光検出器１３により受け取らせる。
（Ｅ）光検出器１３により偏光調整ユニット２および被検体３を透過した光源を検出し、被検体３および波長板２３が発生する光回転方向（左回転または右回転）が相反する場合、ステップ（Ｆ）を行い、被検体３および波長板２３が発生する偏光光の回転方向（左回転または右回転）が同じである場合、ステップ（Ｇ）を行う。
（Ｆ）円偏光光が被検体３を透過した後、偏光光の回転方向（左回転または右回転）が完全にオフセットされ、偏光方向を還元し、第１光線偏光子２１および第２光線偏光子２２の透過軸が直交を形成し、光源を被検体３、第２光線偏光子２２に透過させる時、偏光光源は、オフセットされ、光検出器１３が受け取る光源の強度が最小値〔０〕に近づく。
（Ｇ）被検体３および波長板２３が発生する偏光光の回転方向（左回転または右回転）が完全にオフセットされず、偏光光源が被検体３および第２光線偏光子２２を透過した後、楕円偏光光を発生し、第２光線偏光子２２によって透過軸を制限し、透過軸方向の偏光を残し、光検出器１３が受け取る光源の強度は〔０〕にならず、光検出器１３に受け取る光源の強度の関係を利用して、被検体３の偏光回転角度〔θ〕を計算させる。
【００２７】
上記ステップ（Ａ）の検出ユニット１において、その光源発射器１１は、レーザ光を発射する光源発射器１１またはその他の光源タイプの光源発射器１１であることができ、波長が５３２ｎｍである緑光レーザ光源を発射させ、且つパワーが２０ｍｗであるか、その他のタイプの光源であり、且つ光源発射器１１の一側に光源発射孔１１０を有し、外向きにレーザ光源を投射し、光束拡張器１２の一側に光源受け取り面１２１を設け、光源投射孔１１０に位置合わせし、他側に光源拡張面１２２を設け、それは、レーザ光源を外向きに偏光調整ユニット２に拡張し、被検体３が受ける光源の検出面積を増加し、光検出器１３に投射し、光検出器１３に比較的大きな検出面積の光源を受けさせ、光源強度の検出を更に精確に行わせる。
【００２８】
上記ステップ（Ｂ）の検出ユニット１の光束拡張器１２は、可変光束拡張器であることができ、受け取った光源を２倍〜８倍（２ｘ〜８ｘ）等の倍率で拡大することができる。
【００２９】
また、上記ステップ（Ｃ）、（Ｄ）の偏光調整ユニット２の第１、第２光線偏光子２１、２２（Light Polarized）は、それぞれナノオーダーケイ酸ナトリウムを含むガラス片（Nanoparticles in Sodium-Silicate Glass）材質又は其他材質等であることができる。波長板２３の材料は、結晶石英（Crystalline Quartz）であることができ、位相遅延１／４波長を発生するか、又はその他の位相遅延波長板２３等であることができる。
【００３０】
上記各ステップにおいて、検出ユニット１、偏光調整ユニット２を利用して検出を行う被検体３は、装着式眼鏡の光学レンズ又はその他の光学レンズであることができる。
【００３１】
また、上記ステップ（Ｇ）において、該検出ユニット１の光検出器１３は、回路レイアウト、内蔵アプリケーションプログラムを予め設けたプロセッサまたはチップ等を含み、偏光調整ユニット２、被検体３が受け取る光源の強度の関係を利用し、プロセッサまたはチップ等によって被検体３の偏光回転角度〔θ〕、例えば、５°、１０°、１５°、２０°または２５°等を計算し、被検体３に対して光学位置合わせ検出を行う目的を達成することができ、被検体３に適切な偏光方向、角度等を得ることができ、実際の応用実施において、３Ｄイメージの閲覧を行う時、透過軸の傾斜、クロストーク等の発生を減少し、応用時の安定性を向上する。
【００３２】
上記は、本発明の好適実施例に過ぎず、本発明の保護範囲を制限するものではなく、本発明の光学位置合わせ検出装置およびその検出方法は、検出ユニット１の光源発射器１１を利用して光源を光束拡張器１２に投射し、光源を拡張した後、偏光調整ユニット２の第１光線偏光子２１、波長板２３、被検体３および第２光線偏光子２２に投射し、その後、偏光調整ユニット２、被検体３を透過した光源を光検出ユニット１の光検出器１３に受け取らせ、光検出器１３により受け取る光源の強度の関係を利用し、被検体３の偏光方向、角度を計算し、被検体３に対して光学位置合わせ、検出の目的を達成し、
被検体３が透過軸の傾斜、クロストーク現象を発生することを減少する効果を達成し、被検体３の応答時の安定性を向上し、前述の効果を達成できる構造、装置は、何れも本発明に含まれるべきであり、この種の簡易な修飾および等価な構造の変化は、何れも本発明の保護範囲に含まれるべきである。
【００３３】
上記を総合し、本発明の光学位置合わせ検出装置及びその検出方法の実際の実行、実施時、その効果及び目的を確実に達成するものであり、本発明は、実用性に優れた研究開発であり、発明特許の出願要件に符合する。
【符号の説明】
【００３４】
１  検出ユニット
１１  光源発射器
１１０  光源投射孔
１２、光束拡張器
１２１、光源受け取り面
１２２、光源拡張面
１３、光検出器
１３１、受光面
２、偏光調整ユニット
２１、第１光線偏光子
２２、第２光線偏光子
２３、波長板
３、被検体
ａ、振動方向
ｂ、画像
ｂ１、垂直方向偏光光
ｂ２、水平方向偏光光
ｃ、３Ｄ眼鏡
ｃ１、左レンズ
ｃ２、右レンズ
ｄ、立体イメージ
【図１】
2019191234.tif 000003
【図２】
2019191234.tif 000004
【図３】
2019191234.tif 000005
【図４】
2019191234.tif 000006
【図５】
2019191234.tif 000007
【図６】
2019191234.tif 000008
【図７】
2019191234.tif 000009
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
検出ユニット、偏光調整ユニットおよび被検体を含み、被検体に対して以下の検出のステップを行う光学位置合わせ検出方法。
（Ａ）検出ユニットの光源発射器が光源を光束拡張器に投射する；
（Ｂ）光束拡張器が受け取った光源を拡張した後、光源を偏光調整ユニットおよび被検体に投射する；
（Ｃ）光束拡張器が光源を投射し、偏光調整ユニットの第１光線偏光子、第１光線偏光子の一側に位置する波長板を透過し、第１光線偏光子、波長板に回転する円偏光光を発生させる；
（Ｄ）光源が順に被検体および第２光線偏光子を透過した後、検出ユニットの光検出器により受け取らせる；
（Ｅ）該光検出器は、偏光調整ユニットおよび被検体を透過した光源の検出を行い、被検体が発生する偏光光の回転方向と波長板が発生する偏光光の回転方向が相反している場合はステップ（Ｆ）を行い、被検体が発生する偏光光の回転方向と波長板が発生する偏光光の回転方向が同じである場合はステップ（Ｇ）を行う；
（Ｆ）円偏光光が被検体を透過した後、偏光光の回転方向が完全にオフセットされ、偏光方向を還元し、第１光線偏光子および第２光線偏光子の透過軸が直交を形成し、光源を被検体、第２光線偏光子に透過させる時、偏光光源は、オフセットされ、光検出器が受け取る光源の強度が最小値〔０〕に近づく； 
（Ｇ）被検体および波長板が発生する偏光光の回転方向が完全にオフセットされず、偏光光源が被検体および第２光線偏光子を透過した後、楕円偏光光を発生し、第２光線偏光子によって透過軸を制限し、透過軸方向の偏光を残し、光検出器が受け取る光源の強度は〔０〕にならず、光検出器に受け取る光源の強度の関係を利用して、被検体の偏光回転角度を計算させる。
【請求項２】
前記ステップ（Ａ）の検出ユニットは、光源発射器がレーザ光源発射器であり、波長が５３２ｎｍの緑光レーザ光源を発射し、且つパワーが２０ｍｗであり、且つ光源発射器の一側に外向きにレーザ光源を投射する光源投射孔を有し、光束拡張器の一側に光源投射孔に位置合わせされる光源受け取り面を設け、他側にレーザ光源を外向きに偏光調整ユニットまで拡張し、被検体の検出面積を増加する光源拡張面を設ける請求項１に記載の光学位置合わせ検出方法。
【請求項３】
前記ステップ（Ｂ）の検出ユニットの光束拡張器は、可変光束拡張器であり、且つ受け取った光源を２倍〜８倍（２ｘ〜８ｘ）の倍率で拡大し、該光束拡張器は、が光源を受け取った後、偏光調整ユニットおよび被検体に投射し、偏光調整ユニットの第１光線偏光子、波長板、被検体、第２光線偏光子および光検出器の間に光源が透過する透過軸を形成する請求項１に記載の光学位置合わせ検出方法。
【請求項４】
前記ステップ（Ｃ）、（Ｄ）の偏光調整ユニットの第１、第２光線偏光子（Light Polarized）は、それぞれナノオーダーのケイ酸ナトリウムを含むガラス片（Nanoparticles in Sodium-Silicate Glass）材質であり、波長板の材料は結晶石英（Crystalline Quartz）であり、位相遅延波長を発生させ、偏光調整ユニットの検出を受ける被検体は、装着式眼鏡の光学レンズである請求項１に記載の光学位置合わせ検出方法。
【請求項５】
前記検出ユニットの光検出器は、回路レイアウト、内蔵アプリケーションプログラムを予め設けたプロセッサまたはチップを含む請求項１に記載の光学位置合わせ検出方法。
【手続補正３】
【補正対象書類名】明細書
【補正対象項目名】０００１
【補正方法】変更
【補正の内容】
【０００１】
本発明は、光学位置合わせ検出方法に関し、特に、光学レンズに対して偏光検出を行う方法に関し、検出ユニット及び偏光調整ユニットによって被検体に対して偏光検出を行い、被検体に対して光学位置合わせ検出の目的を達成する。
【手続補正４】
【補正対象書類名】明細書
【補正対象項目名】０００７
【補正方法】変更
【補正の内容】
【０００７】
そこで、発明者は、上記の問題及び欠陥に鑑み、関連資料を収集し、多方面の評価および検討を行い、本業界に長年従事した経験により、絶えず試作及び修正を行い、ようやくこのような検出ユニット及び偏光調整ユニットを利用し、被検体に対して光学位置合わせ検出を行い、被検体に適合する偏光角度、偏光方向を取得させ、被検体の使用時に発生する透過軸の傾斜を低減し、クロストーク現象の発生を回避する光学位置合わせ検出方法の発明を誕生させている。
【手続補正５】
【補正対象書類名】明細書
【補正対象項目名】０００８
【補正方法】変更
【補正の内容】
【０００８】
本発明の目的は、該光学位置合わせ検出方法を行い、検出ユニットの光源発射器を利用して光源を光束拡張器に投射し、光源を拡張した後に偏光調整ユニットおよび被検体に投射し、光源を偏光調整ユニットの第１光線偏光子、波長板に透過させて回転する円偏光光を発生し、順に被検体および第２光線偏光子に透過させた後、検出ユニットの光検出器に受けさせ、光検出器により偏光調整ユニット及び被検体を透過した光源を検出し、被検体と波長板が発生する円偏光光の回転方向（左回転または右回転）が相反であるか、同一であるか、円偏光光の回転方向がオフセットされるか、オフセットされてないかを識別し、光検出器が受け取った光源の強度が最小値〔０〕または最大値〔０ではない〕に近づき、被検体の偏光回転状態を算出でき、被検体に対して光学式位置合わせの目的を達成し、３Ｄイメージを観覧する時、透過軸の傾斜、クロストーク現象の発生を減少し、使用安定性の効果を向上することにある。
【手続補正６】
【補正対象書類名】明細書
【補正対象項目名】００１１
【補正方法】変更
【補正の内容】
【００１１】
本発明の光学位置合わせ検出方法は、検出ユニット、偏光調整ユニットおよび被検体を含み、該検出ユニットは、光源を投射する光源発射器、光源を受け取った後に拡張を行う光束拡張器および光源を受け取って検出を行う光検出器を含み、該偏光調整ユニットは、光束拡張器および光検出器の間に設置され、光束拡張器の一側に位置する第１光線偏光子と、光検出器の一側に位置する第２光線偏光子と、第１光線偏光子の一側に位置する波長板を含み、該被検体は、検出ユニットの波長板と第２光線偏光子の間に設置され、検出ユニットの光源を透過して偏光調整ユニットを合わせて偏光調整を行い、被検体の偏光光源角度を補正する。
【手続補正７】
【補正対象書類名】明細書
【補正対象項目名】００１２
【補正方法】変更
【補正の内容】
【００１２】
本発明の光学位置合わせ検出方法が行う検出方法は、検出ユニットの光源発射器を利用して光源を光束拡張器に投射し、光源を拡張した後に偏光調整ユニットおよび被検体に投射し、光源を偏光調整ユニットの第１光線偏光子、波長板に透過させて回転する円偏光光を発生し、順に被検体および第２光線偏光子に透過させた後、検出ユニットの光検出器に受けさせ、光検出器により偏光調整ユニット及び被検体を透過した光源を検出し、被検体と波長板が発生する円偏光光の回転方向（左回転または右回転）が相反であるか、同一であるか、円偏光光の回転方向がオフセットされるか、オフセットされてないかを識別し、光検出器が受け取った光源の強度が最小値〔０〕または最大値〔０ではない〕に近づき、被検体の偏光回転状態を算出でき、被検体に対して光学式位置合わせの目的を達成し、３Ｄイメージを観覧する時、透過軸の傾斜、クロストーク現象の発生を減少し、使用安定性の効果を向上することにある。
【手続補正８】
【補正対象書類名】明細書
【補正対象項目名】００１５
【補正方法】変更
【補正の内容】
【００１５】
図１、図２を参照し、それは、本発明の立体分解図、好適実施例の立体分解図であり、図から明確に分かるように、本発明に使用する光学位置合わせ検出装置は、検出ユニット１、偏光調整ユニット２および被検体３を含む。
【手続補正９】
【補正対象書類名】明細書
【補正対象項目名】００１９
【補正方法】変更
【補正の内容】
【００１９】
上記各部材は、実際の応用時、検出ユニット１の光束拡張器１２および光検出器１３の間に偏光調整ユニット２を設置し、第１光線偏光子２１、第２光線偏光子２２をそれぞれ光束拡張器１２、光検出器１３の相対する内側に位置させ、第１、第２光線偏光子２１、２２の間に波長板２３を設置し、波長板および第２光線偏光子２２の間に被検体３を設置し、検出ユニット１の光源発射器１１によって光源投射孔１１０によってレーザ光を光束拡張器１２に投射し、光束拡張器１２を利用してレーザ光源を拡張した後、偏光調整ユニット２、被検体３に投射し、レーザ光源を光検出器１３により受けさせ、被検体３に対して検出を行う目的を達成し、検出ユニット１、偏光調整ユニット２および被検体３を利用し、本発明に使用する光学位置合わせ検出装置を構成する。
【手続補正１０】
【補正対象書類名】明細書
【補正対象項目名】００２５
【補正方法】変更
【補正の内容】
【００２５】
図１、図２、図３、図４を参照し、それは、本発明の立体分解図、好適実施例の立体分解図、検出方法のフロー図（一）、検出方法のフロー図（二）、図から明確に分かるように、本発明に使用する光学位置合わせ検出装置は、実際の応答実施時、検出ユニット１、偏光調整ユニット２を利用して被検体４に対して光学検出を行うことができ、その検出のステップは、以下である。
【手続補正１１】
【補正対象書類名】明細書
【補正対象項目名】００２６
【補正方法】変更
【補正の内容】
【００２６】
（Ａ）検出ユニット１の光源発射器１１を利用し、光源投射孔１１０からレーザ光源を光束拡張器１２に投射する。
（Ｂ）光束拡張器１２の一側の光源受け取り面１２１により光源発射器１１の光源を受け取り、受け取った光源を拡張した後、他側の光源拡張面１２２により光源を拡張し、偏光調整ユニット２及び被検体３に投射する。
（Ｃ）且つ光束拡張器１２が光源を投射し、偏光調整ユニット２の第１光線偏光子２１、第１光線偏光子２１の一側に位置する波長板２３を透過させ、第１光線偏光子２１、波長板２３に左回転又は右回転方式で回転する円偏光光を発生させる。
（Ｄ）光源に順に被検体３および第２光線偏光子２２を透過させた後、検出ユニット１の光検出器１３により受け取らせる。；
（Ｅ）該光検出器１３は、偏光調整ユニット２および被検体３を透過した光源の検出を行い、被検体３が発生する偏光光の回転方向（左回転または右回転）と波長板２３が発生する偏光光の回転方向（左回転または右回転）が相反している場合はステップ（Ｆ）を行い、被検体３が発生する偏光光の回転方向（左回転または右回転）と波長板２３が発生する偏光光の回転方向（左回転または右回転）が同じである場合はステップ（Ｇ）を行う；
（Ｆ）円偏光光が被検体３を透過した後、偏光光の回転方向（左回転または右回転）が完全にオフセットされ、偏光方向を還元し、第１光線偏光子２１および第２光線偏光子２２の透過軸が直交を形成し、光源を被検体３、第２光線偏光子２２に透過させる時、偏光光源は、オフセットされ、光検出器１３が受け取る光源の強度が最小値〔０〕に近づく。
（Ｇ）被検体３および波長板２３が発生する偏光光の回転方向（左回転または右回転）が完全にオフセットされず、偏光光源が被検体３および第２光線偏光子２２を透過した後、楕円偏光光を発生し、第２光線偏光子２２によって透過軸を制限し、透過軸方向の偏光を残し、光検出器１３が受け取る光源の強度は〔０〕にならず、光検出器１３に受け取る光源の強度の関係を利用して、被検体３の偏光回転角度〔θ〕を計算させる。
【手続補正１２】
【補正対象書類名】明細書
【補正対象項目名】００３２
【補正方法】変更
【補正の内容】
【００３２】
上記は、本発明の好適実施例に過ぎず、本発明の保護範囲を制限するものではなく、本発明の光学位置合わせ検出方法は、検出ユニット１の光源発射器１１を利用して光源を光束拡張器１２に投射し、光源を拡張した後、偏光調整ユニット２の第１光線偏光子２１、波長板２３、被検体３および第２光線偏光子２２に投射し、その後、偏光調整ユニット２、被検体３を透過した光源を光検出ユニット１の光検出器１３に受け取らせ、光検出器１３により受け取る光源の強度の関係を利用し、被検体３の偏光方向、角度を計算し、被検体３に対して光学位置合わせ、検出の目的を達成し、
被検体３が透過軸の傾斜、クロストーク現象を発生することを減少する効果を達成し、被検体３の応答時の安定性を向上し、前述の効果を達成できる構造、装置は、何れも本発明に含まれるべきであり、この種の簡易な修飾および等価な構造の変化は、何れも本発明の保護範囲に含まれるべきである。
【手続補正１３】
【補正対象書類名】明細書
【補正対象項目名】００３３
【補正方法】変更
【補正の内容】
【００３３】
上記を総合し、本発明の光学位置合わせ検出方法の実際の実行、実施時、その効果及び目的を確実に達成するものであり、本発明は、実用性に優れた研究開発であり、特許発明の出願要件に符合する。